(57)【要約】【課題】遊技者の疲労軽減を図る。【解決手段】台座１５の上面がｂ図に示すように皿構造体５の側から前側に行くに従って下側に傾斜する斜面Ｌ３に位置し、回転機構１７の回転中心線Ｌ４および操作機構１８の操作中心線Ｌ５が斜面Ｌ３と直交し、操作機構１８がａ図に実線で示す位置から点線で示す位置の側または仮想線で示す位置の側に行くに従って斜面Ｌ３と平行に上方に移動しても、操作盤１９を操作する遊技者の腕や手の角度に変化が少なく、遊技者の疲労が軽減する。【選択図】図１
2007319588.tif 000002
【特許請求の範囲】
【請求項１】
遊技機枠から前側に突出するように遊技機枠の前面に固定される固定アームと、固定アームの前部に設けられる台座と、遊技機枠の側から前側に行くに従って下り勾配となる斜面を構成する台座の上面と、台座の上面に回転機構を介して左右方向に回転可能に取り付けられた可動アームと、可動アームの前部から上方に突出するように取り付けられた操作機構とを備えたことを特徴とするパチンコ遊技機の球発射操作装置。
【請求項２】
請求項１における回転機構が固定アームに固定される機構基盤と機構基盤に回転可能に装着されて可動アームに固定される回転基盤とを備え、台座の後部には受止溝が設けられ、機構基盤の後部には受止突起が設けられ、受止突起が台座の上部から受止溝に挿入され、機構基盤が止ねじで台座の上に固定されたことを特徴とするパチンコ遊技機の球発射操作装置。
【発明の詳細な説明】
【技術分野】
【０００１】
本発明は、パチンコ遊技機における遊技者の疲労が軽減可能な球発射操作装置に関する。
【背景技術】
【０００２】
パチンコ遊技機の球発射操作装置には、遊技者が操作機構を遊技機枠の前面に対し前後方向または左右方向に移動することによって操作し易いようにしたものが知られている。しかしながら、操作機構が操作し易い位置に移動されると、操作機構を操作する遊技者の腕や手の角度に変化が大きくなり、遊技者の疲労が増大するという欠点がある。
【特許文献１】特開２００５−４０４２６号公報
【特許文献２】特開２００２−４５４８１号公報
【特許文献３】特開２００２−２５３７５６号公報
【特許文献４】特開２００１−１４９５４１号公報
【特許文献５】特開平１０−２３４９３８号公報
【特許文献６】特開昭６３−３０２号公報
【発明の開示】
【発明が解決しようとする課題】
【０００３】
発明が解決しようとする問題点は、操作機構が操作し易い位置に移動されると、操作機構を操作する遊技者の腕や手の角度に変化が大きくなり、遊技者の疲労が増大するという点である。
【課題を解決するための手段】
【０００４】
本発明に係るパチンコ遊技機の球発射操作装置は、遊技機枠から前側に突出するように遊技機枠の前面に固定される固定アームと、固定アームの前部に設けられる台座と、遊技機枠の側から前側に行くに従って下り勾配となる斜面を構成する台座の上面と、台座の上面に回転機構を介して左右方向に回転可能に取り付けられた可動アームと、可動アームの前部から上方に突出するように取り付けられた操作機構とを備えたことを最も主要な特徴とする。回転機構が固定アームに固定される機構基盤と機構基盤に回転可能に装着されて可動アームに固定される回転基盤とを備え、台座の後部には受止溝が設けられ、機構基盤の後部には受止突起が設けられ、受止突起が台座の上部から受止溝に挿入され、機構基盤が止ねじで台座の上に固定されてもよい。
【０００５】
本発明に係るパチンコ遊技機の球発射操作装置は、遊技機枠の前面に固定される固定アームの前部に設けられた台座の上面が遊技機枠の側から前側に行くに従って下り勾配となる斜面を構成しているので、操作機構が回転機構を中心として左右方向に移動しても、操作機構を操作する遊技者の腕や手の角度に変化が少なく、遊技者の疲労を軽減することができるという利点がある。回転機構が固定アームに固定される機構基盤と機構基盤に回転可能に装着されて可動アームに固定される回転基盤とを備え、台座の後部には受止溝が設けられ、機構基盤の後部には受止突起が設けられ、受止突起が台座の上部から受止溝に挿入され、機構基盤が止ねじで台座の上に固定されれば、遊技者が操作機構の上に手を載せた場合、受止突起が固定アームにおける受止溝を囲む上壁に下から受け止められ、回転機構が台座に適切に支持されるという利点がある。
【発明を実施するための最良の形態】
【０００６】
図１乃至図６は、発明を実施するための最良の形態である。図１のａ図は、皿構造体５に取り付けられた球発射操作装置１２を平面的に示す。図１のｂ図は、皿構造体５に取り付けられた球発射操作装置１２を側面的に示す。図２は、パチンコ遊技機を示す。図３は、球発射操作装置１２を分解して示す。図４は、可動アーム１６および回転機構１７を分解して上から見て示す。図５は、回転機構１７を分解して下から見て示す。図６は、皿構造体５に取り付けられた球発射操作装置１２の内部を示す。本明細書において、「前」、「表」、「後」、「裏」、「左」、「右」、「上」、「下」の方向は、図２の状態に遊技機枠１を置いて矢印Ａで示す前側から見た場合に特定される方向である。「前」および「表」は、同じ方向である。「後」および「裏」は、同じ方向である。
【０００７】
図２を参照し、パチンコ遊技機の構造について説明する。パチンコ遊技機は、遊技機枠１の内部に図外の遊技盤を交換可能に格納する形態である。遊技機枠１は、固定枠２の前側に可動枠３を開閉可能に備え、可動枠３の前側に前扉４および皿構造体５を開閉可能に備える。固定枠２は、遊技機設置構造体に取り付けるための外枠とも呼ばれる。遊技機設置構造体は、遊技店のパチンコ遊技機を設置する島とも呼ばれる設備である。可動枠３は、左側に位置するヒンジ６を中心とし、固定枠２の前側で前側に開かれかつ後側に閉じられるように、片開き可能であって、球発射機構７、施錠装置８、遊技盤、図外の球払出機構など遊技に必要な部品を取り付ける前枠とも呼ばれる。前扉４は、パネル枠とも呼ばれ、左側に位置する図外のヒンジを中心とし、可動枠３の前側で前側に開かれかつ後側に閉じられるように、片開き可能であって、窓９を備える。窓９は、前面パネル１０で塞がれる。前面パネル１０は、前扉４の裏面に設けられた光透過性の有る無色なガラスのような板状の部材により構成される。皿構造体５の前面には、球受皿部１１および球発射操作装置１２が設けられる。
【０００８】
球発射操作装置１２における固定アーム１３の後部が皿構造体５の前側から皿構造体５の前壁に形成された挿入孔１４に挿入され、図外の止ねじが皿構造体５の裏側から皿構造体５の躯体に形成された貫通孔を経由して固定アーム１３の後部に締結され、固定アーム１３が皿構造体５に固定される。固定アーム１３の前部には、台座１５が設けられる。台座１５の上面は、皿構造体５の側から前側に行くに従って下り勾配となる斜面を構成する。台座１５の上面には、球発射操作装置１２における可動アーム１６の後部に設けられた回転機構１７が取り付けられる。これによって、固定アーム１３の皿構造体５から前側に突出した前部には、可動アーム１６が回転機構１７を中心として左右に振れ動くように連結される。可動アーム１６の前部には、操作機構１８が設けられる。
【０００９】
そして、遊技盤が遊技機枠１の内部に格納された場合、遊技盤の前面における遊技領域が遊技機枠１の前側から窓９および前面パネル１０を経由して視認される。その状態において、遊技者が球受皿部１１にパチンコ球と呼ばれる球を入れ、遊技者が操作機構１８の操作盤１９を右回りに操作すると、球発射機構７が操作盤１９の操作量に応じた発射力で電気的に駆動し、球発射機構７が球受皿部１１から遊技機枠１の内部に取り込まれた球を１個ずつ遊技盤の遊技領域に向けて発射する。遊技領域に到達した球は、遊技領域を流下する過程において、遊技領域の入賞部品や遊技釘などに衝突して、流れる方向を変えながら、入賞部品に入って遊技盤の裏側に排出される。入賞部品に入らないで、遊技領域の最下部に到達した球は、遊技盤のアウト口から遊技盤の裏側に排出される。球が入賞部品に入賞すると、球払出機構が駆動して賞球としての球を球受皿部１１に払い出す。
【００１０】
図１のａ図を参照し、球発射操作装置１２が皿構造体５に設けられた態様を、皿構造体５の上方から見た場合の構造について説明する。固定アーム１３の前後方向に延びるアーム中心線Ｌ１は、皿構造体５の側から前側に行くに従って右側に傾斜する。皿構造体５の前後方向に延びる直線Ｌ２は、皿構造体５の前面に直交する。アーム中心線Ｌ１と直線Ｌ２との挟角θ１は、例えば１５度に設定される。遊技者が実線で示す位置における操作機構１８を右側に押すと、可動アーム１６が回転機構１７を中心として右側に回転し、操作機構１８が点線で示す位置の側になる。遊技者が実線で示す位置における操作機構１８を左側に押すと、可動アーム１６が回転機構１７を中心として左側に回転し、操作機構１８が仮想線で示す位置の側になる。図１のｂ図を参照し、球発射操作装置１２が皿構造体５に設けられた態様を、皿構造体５の横方から見た場合の構造について説明する。台座１５の上面は、皿構造体５の側から前側に行くに従って下側に傾斜する斜面Ｌ３に位置する。斜面Ｌ３と直線Ｌ２との挟角θ２は、例えば１５度に設定される。回転機構１７の回転中心線Ｌ４は、斜面Ｌ３と直交する。操作機構１８の操作中心線Ｌ５は、回転中心線Ｌ４と平行する。よって、操作機構１８が図１のａ図に実線で示す位置から点線で示す位置の側または仮想線で示す位置の側に行くにしたがって斜面Ｌ３と平行に上方に移動するので、操作機構１８が図１のａ図に実線で示す位置から点線で示す位置の側または仮想線で示す位置の側に移動しても、操作盤１９を操作する遊技者の腕や手の角度に変化が少なく、遊技者の疲労を軽減することができるという利点がある。
【００１１】
図３を参照し、球発射操作装置１２の構造について説明する。操作機構１８が可動アーム１６の前部の上に取り付けられ、回転機構１７が可動アーム１６の後部の下に取り付けられ、操作機構１８の回転機構１７から下方に引き出された配線４５が台座１５の側から固定アーム１３の内部を経由して固定アーム１３の後部に引き出される。固定アーム１３は、前後方向に貫通する筒として構成される。次に、回転機構１７の受止突起２０が固定アーム１３の上から受止溝２１に嵌め込まれ、回転機構１７の位置決定部２２が台座１５の位置決定部２３に嵌め込まれ、回転機構１７が台座１５に載せられ、止ねじ２４が固定アーム１３の下から取付孔２５を経由して回転機構１７の取付孔２６に締結される。これによって、球発射操作装置１２が図２に示す態様に構成される。
【００１２】
図４を参照し、可動アーム１６の構造について説明する。可動アーム１６は、アーム基盤３１およびアームカバー３２を備える。アーム基盤３１は、鉄板のような帯状の金属からなり、可動アーム１６の骨格を構成し、配線孔３３、回転阻止部３４、取付孔３５、取付孔３６、取付孔３７を備える。配線孔３３と回転阻止部３４および取付孔３５は、上下方向への貫通孔として、アーム基盤３１の後部に設けられる。取付孔３６は、上下方向への貫通孔として、アーム基盤３１の周縁部に分散して設けられる。取付孔３７は、上下方向への貫通孔として、アーム基盤３１の前部に設けられる。
【００１３】
アームカバー３２は、アーム基盤３１を覆うように、合成樹脂から構成され、収容部４１、挿入孔４２、リブ４３、取付部４４を備える。収容部４１は、アーム基盤３１を収容するように、下方に開口した形状であって、アームカバー３２の下面から内部への窪みとして、アームカバー３２に設けられる。挿入孔４２は、上下方向への貫通孔として、アームカバー３２の前部に設けられる。リブ４３は、挿入孔４２を囲むように、アームカバー３２から上方に突出した環状壁として、アームカバー３２に設けられる。取付部４４は、取付孔３６と位置および個数が対応し、収容部４１の上壁から下方に突出した筒状の突起として、アームカバー３２に設けられる。
【００１４】
アーム基盤３１およびアームカバー３２が互いに組み立てられる場合、操作機構１８の配線４５がアームカバー３２よりも上方から挿入孔４２および配線孔３３を順に経由してアーム基盤３１よりも下方に引き出される。操作機構１８の固定基盤４６がアームカバー３２の上方から挿入孔４２に挿入され、止ねじ４７がアーム基盤３１よりも下方から取付孔３７を経由して固定基盤４６の取付部４８に締結される。これによって、操作機構１８がアーム基盤３１の前部の上に固定される。また、アーム基盤３１がアームカバー３２よりも下方から収容部４１に収容され、止ねじ４９がアーム基盤３１よりも下方から取付孔３６を経由して取付部４４に締結される。これによって、アーム基盤３１およびアームカバー３２が互いに結合されて可動アーム１６を構成する。
【００１５】
図４および図５を参照し、回転機構１７の構造について説明する。回転機構１７は、機構基盤５１、回転基盤５２、位置保持基盤５３、弾性体５４、ロック体５５を備える。機構基盤５１は、固定アーム１３に固定されるものであって、受止突起２０、位置決定部２２、取付孔２６、収容室５６、円形孔５７、突起５８を備える。受止突起２０は、機構基盤５１の周面から径方向の外側に突出するように、機構基盤５１に設けられる。受止突起２０が機構基盤５１の後部に位置し、位置決定部２２が機構基盤５１の前部に位置する。位置決定部２２は、複数の突起５８の間に位置しかつ収容室５６に突出するように、機構基盤５１に設けられる。位置決定部２２の下端部は、収容室５６から下方に突出する。取付孔２６は、突起５８の下面から内部への窪みとして設けられる。収容室５６は、回転基盤５２および位置保持基盤５３を収容するように、下方に開口した形状であって、機構基盤５１の下面から内部への窪みとして、機構基盤５１に設けられる。円形孔５７は、上下方向への貫通孔として、収容室５６と同軸に、回転基盤５２に設けられる。突起５８は、収容室５６に突出するように機構基盤５１に設けられ、円形孔５７と同心な円周上に位置する内面を備える。
【００１６】
回転基盤５２は、可動アーム１６に固定されるものであって、機構基盤５１よりも下方から突起５８の内面の間に位置するように、収容室５６に回転可能に収容される円盤状であって、小円盤６１、配線孔６２、回転阻止部６３、取付孔６４、収容部６５を備える。小円盤６１は、回転基盤５２の上面から上方に同心状に突出する。小円盤６１の外径は、回転基盤５２の外径よりも小さい。配線孔６２は、上下方向への貫通孔として、回転基盤５２および小円盤６１の中央部に設けられる。回転阻止部６３は、小円盤６１の上面から上方への突起として、小円盤６１の上面に設けられる。取付孔６４は、上下方向への貫通孔として、小円盤６１の周縁部に設けられる。収容部６５は、回転基盤５２の外周面から径方向外側に突出した突起として、回転基盤５２の外周面に設けられる。収容部６５は、弾性体５４を装着するように、回転基盤５２の径方向外側および下方に開口した溝を備える（図５参照）。
【００１７】
位置保持基盤５３は、機構基盤５１よりも下方から収容室５６に収容される板状であって、配線孔６７、逃避部６８、作業孔６９、突壁７０、収容部７１を備える。配線孔６７は、上下方向への貫通孔として位置保持基盤５３の中央部に設けられる。逃避部６８は、位置保持基盤５３が収容室５６に収容される場合、位置決定部２２を逃げるものであって、上下方向および外側に開口する凹部として位置保持基盤５３の周縁部に設けられる。作業孔６９は、位置保持基盤５３が収容室５６に収容される場合、ロック体５５が収容部７１の１つに嵌め込まれるようにロック体５５を操作するものであって、上下方向への貫通孔として位置保持基盤５３の周縁部に設けられる。突壁７０は、位置保持基盤５３の周縁部から上方に突出する半円形な壁を構成する。収容部７１は、ロック体５５を収容するように、凹凸が突壁７０の周方向に交互に連なるように、突壁７０の内周面に設けられる。
【００１８】
回転機構１７が組み立てられる場合について説明する。小円盤６１が機構基盤５１よりも下方から収容室５６を経由して円形孔５７に挿入され、小円盤６１の外面および円形孔５７の内面と対向し、回転基盤５２が収容室５６に回転可能に収容され、回転基盤５２の外面および突起５８の内面が互いに対向し、回転阻止部６３が円形孔５７を経由して機構基盤５１の上面よりも上方に突出する。また、機構基盤５１の上面がアーム基盤３１の後部の下面に重ね合わされ、回転阻止部６３がアーム基盤３１の回転阻止部３４に嵌め込まれ、止ねじ７２が回転基盤５２よりも下方から取付孔６４を経由して取付孔３５に締結される。これによって、機構基盤５１における円形孔５７の周りの部分が機構基盤５１と回転基盤５２との間に挟まれ、機構基盤５１が回転基盤５２を中心として機構基盤５１の後部の下に回転可能に取り付けられる。また、弾性体５４が回転基盤５２よりも下方から収容部６５に挿入され、ロック体５５が弾性体５４と機構基盤５１における収容室５６の周りを囲む内面との間に挿入される。これによって、弾性体５４がロック体５５を機構基盤５１における収容室５６の周りを囲む内面に押し付ける。
【００１９】
次に、突壁７０が回転基盤５２よりも下方からロック体５５と機構基盤５１における収容室５６の周りを囲む内面との間に挿入され、位置保持基盤５３が収容室５６に収容され、逃避部６８が位置決定部２２に嵌め込まれる。突壁７０が回転基盤５２よりも下方からロック体５５と機構基盤５１における収容室５６の周りを囲む内面との間に挿入される場合、作業者が、棒などの工具を回転基盤５２よりも下方から作業孔６９に挿入し、工具でロック体５５を弾性体５４の側に押すことによって、突壁７０が回転基盤５２よりも下方からロック体５５と機構基盤５１における収容室５６の周りを囲む内面との間に挿入され易くなる。そして、作業者が工具を作業孔６９から下方に引き抜くことによって、ロック体５５が弾性体５４による弾性作用下で収容部７１における複数の凹部の１つに取り込まれる。
【００２０】
図６を参照し、皿構造体５に取り付けられた球発射操作装置１２の内部について説明する。機構基盤５１の受止突起２０が固定アーム１３の受止溝２１に挿入され、機構基盤５１が止ねじ２４で固定アーム１３の台座１５の上に固定され、機構基盤５１における円形孔５７の周りの部分が、アーム基盤３１に止ねじ７２で固定された回転基盤５２とアーム基盤３１とで回転可能に支持される。そして、受止溝２１が台座１５の後部に設けられているので、球発射操作装置１２が皿構造体５に取り付けられ、遊技者が操作機構１８の上に手を載せた場合、受止突起２０が受止溝２１を囲む上壁に下から受け止められ、回転機構１７が台座１５に適切に支持されるという利点がある。このため、止ねじ２４が作業者から操作機構１８の上から下向きに加えられる外力を負担することがなく、止ねじ２４が台座１５と回転機構１７との結合を保つだけでよく、止ねじ２４が台座１５の全体的に設けられる必要がなく、止ねじ２４が台座１５の前部に設けられればよく、台座１５と回転機構１７とが互いに適切に結合されるという利点がある。
【００２１】
操作機構１８の配線４５は、可動アーム１６の内部から配線孔３３；６２；６７および固定アーム１３の内部を経由して皿構造体５よりも裏側に突出され、可動枠３（図２参照）に設けられた図外の制御装置に接続される。この制御装置は、図２に示す球発射機構７を操作盤１９の操作量に応じた発射力で電気的に駆動させる。
【００２２】
回転機構１７の内部には、回転基盤５２に設けられた弾性体５４、回転基盤５２に設けられたロック体５５、機構基盤５１に設けられた位置保持基盤５３、位置保持基盤５３に設けられた収容部７１からなる回転位置保持機構が設けられ、弾性体５４で押されたロック体５５が収容部７１を構成する複数の凹凸における１つの凹部に受け止められている。そして、操作機構１８が、回転機構１７を中心として、図１のａ図に実線で示す位置、図１のａ図に点線で示す位置、図１のａ図に仮想線で示す位置などに操作された場合、それぞれの位置において、弾性体５４で押されたロック体５５が収容部７１を構成する複数の凹凸における１つの凹部に受け止められ、遊技者が操作機構１８を回転機構１７を中心として別の位置に移動するように操作しなければ、操作機構１８がそれぞれの位置に回転機構１７を中心として別の位置に回転しないように保持されるので、操作機構１８がそれぞれの位置において、遊技者が操作盤１９を操作し易いという利点がある。
【産業上の利用可能性】
【００２３】
図７および図８は、発明を実施するための異なる第１形態である。図７は、球発射操作装置１２を分解して示す。図８は、可動アーム７４の内部を示す。図７において、可動アーム７４は、取付基盤７５および可動支柱７６を備える。取付基盤７５は、図４の機構基盤５１に類似するものであって、受止突起２０、位置決定部２２、取付孔２６を備える。受止突起２０は、取付基盤７５の周面から径方向の外側に突出するように、取付基盤７５に設けられる。受止突起２０が取付基盤７５の後部に位置し、位置決定部２２が取付基盤７５の前部に位置する。位置決定部２２は、取付基盤７５の下面から下方に突出するように、機構基盤５１に設けられる。取付孔２６は、取付基盤７５の下面から内部への窪みとして設けられる。取付基盤７５の上面には、可動支柱７６の下部が結合される。可動支柱７６の上部には、操作機構１８の固定基盤４６が結合される。
【００２４】
球発射操作装置１２が組み立てられる場合、操作機構１８の取付基盤７５から下方に引き出された配線４５が台座１５の側から固定アーム１３の内部を経由して固定アーム１３の後部に引き出される。次に、取付基盤７５の受止突起２０が固定アーム１３の上から受止溝２１に嵌め込まれ、取付基盤７５の位置決定部２２が台座１５の位置決定部２３に嵌め込まれ、取付基盤７５が台座１５に載せられ、止ねじ２４が固定アーム１３の下から取付孔２５を経由して取付基盤７５の取付孔２６に締結される。これによって、球発射操作装置１２が構成される。
【００２５】
図８において、可動支柱７６は、互いに独立した複数の筒体７７が同軸状に縦列されるように連結されて構成される。筒体７７は、上下方向に貫通する筒状であって、上連結部７８および下連結部７９を備える。上連結部７８は、筒体７７を横方向から見た場合、下方から上方に行くに従って、筒体７７の外側から内側に窪みかつ内側から外側に突出するような弧状を構成する。下連結部７９は、筒体７７を横方向から見た場合、下方から上方に行くに従って、筒体７７の内側から外側に突出しかつ外側から内側に窪むような弧状を構成する。そして、下部に位置する筒体７７における上連結部７８が、上部に位置する筒体７７における下連結部７９の内側に位置するように互いにはめ込まれ、下部に位置する筒体７７における上連結部７８の内側から外側に突出する部分が、上部に位置する筒体７７における下連結部７９の外側が内側に窪む部分で受け止められ、互いに独立した複数の筒体７７が同軸状に縦列されるように連結される。よって、操作機構１８が遊技者によって操作される場合、可動支柱７６が一体の蛇腹構造として構成されたものに比べ、可動支柱７６の取付基盤７５を固定点として左右に振れる運動範囲が少なくなり、遊技者が操作機構１８を操作し易いという利点がある。
【００２６】
図９は、発明を実施するための異なる第２形態に係る可動アーム７４の内部を示す。可動支柱７６は、ゴムまたは合成樹脂からなる弾性被膜８０が、複数の筒体７７からなる縦列構造体を覆い包んだ形態である。よって、可動支柱７６の取付基盤７５を固定点として左右に振れた場合でも、遊技者の手が筒体７７に触れることがないという利点があるうえ、図８の可動支柱７６よりも、可動支柱７６の取付基盤７５を固定点として左右に振れる運動範囲が少なくなるという利点がある。
【図面の簡単な説明】
【００２７】
【図１】ａ図は皿構造体に取り付けられた球発射操作装置の平面図、ｂ図は皿構造体に取り付けられた球発射操作装置の側面図（最良の形態）。
【図２】パチンコ遊技機の斜視図（最良の形態）。
【図３】球発射操作装置の分解斜視図（最良の形態）。
【図４】可動アームおよび回転機構の上から見た分解斜視図（最良の形態）。
【図５】回転機構の下から見た分解斜視図（最良の形態）。
【図６】皿構造体に取り付けられた球発射操作装置の横断面図（最良の形態）。
【図７】球発射操作装置の分解斜視図（異なる第１形態）。
【図８】可動支柱の縦断面図（異なる第１形態）。
【図９】可動支柱の縦断面図（異なる第２形態）。
【符号の説明】
【００２８】
１    遊技機枠
５    皿構造体
１２  球発射操作装置
１３  固定アーム
１５  台座
１６  可動アーム
１７  回転機構
１８  操作機構
２０  受止突起
２１  受止溝
２４  止ねじ
【図１】
2007319588.tif 000003
【図２】
2007319588.tif 000004
【図３】
2007319588.tif 000005
【図４】
2007319588.tif 000006
【図５】
2007319588.tif 000007
【図６】
2007319588.tif 000008
【図７】
2007319588.tif 000009
【図８】
2007319588.tif 000010
【図９】
2007319588.tif 000011